(57)【要約】【課題】気象条件の変化に関わらずに安定した作業効率で高品質の建築物を快適に構築可能なように作業環境を改善することを目的とする。【解決手段】建築物Ｋを構築する建設現場の周縁部の地盤Ｇには、水平方向に連続した土留壁５が設けられている。建設現場の環境改善システム１は、この建設現場の環境を改善するものである。この建設現場の環境改善システム１は、建設現場を上方から覆う仮設屋根１０と、噴霧装置２０と、送風機３０とを備えている。仮設屋根１０は、土留壁５の上部に、この土留壁５に沿って移動自在に設けられた複数の移動屋根部１１，…からなるものである。噴霧装置２０は、仮設屋根１０によって覆われた建設現場に水を噴霧するものである。送風機３０は、噴霧装置２０によって噴霧された水を建設現場に拡散させるものである。【選択図】　図１
2004124419.tif 000002
【特許請求の範囲】
【請求項１】
建設現場を上方から覆う仮設屋根と、
この仮設屋根によって覆われた前記建設現場に水を噴霧する噴霧装置とを備えることを特徴とする建設現場の環境改善システム。
【請求項２】
請求項１記載の建設現場の環境改善システムにおいて、
前記噴霧装置によって噴霧された水を前記建設現場に拡散させる送風機を備えることを特徴とする建設現場の環境改善システム。
【請求項３】
請求項１又は２記載の建設現場の環境改善システムにおいて、
前記建設現場の周縁部の地盤には、水平方向に連続した土留壁が設けられており、
前記仮設屋根は、前記土留壁の上部に、この土留壁に沿って移動自在に設けられた複数の移動屋根部からなることを特徴とする建設現場の環境改善システム。
【発明の詳細な説明】
【０００１】
【発明の属する技術分野】
本発明は、建築物を構築する建設現場における、建設現場の環境改善システムに関する。
【０００２】
【従来の技術】
従来、建築物を構築するなどの建設現場においては、直射日光や風雨を防ぐべく、工事現場の上方に仮設の屋根を設けていた（例えば、特許文献１）。
【０００３】
【特許文献１】
特開平０８−１２０９４４号公報
【０００４】
【発明が解決しようとする課題】
しかしながら、このように建設現場の上方に仮設の屋根を設けた場合には、この屋根の上側と下側との間で空気の流れが遮られるため、建設現場の空気が流れにくくなる。従って、特に酷暑時には仮設屋根からの熱の焼け込み等により建設現場の気温が上昇するため、作業環境が劣悪化し、その結果、作業効率が低下することとなる。
【０００５】
本発明の課題は、気象条件の変化に関わらずに安定した作業効率で高品質の建築物を快適に構築可能なように作業環境を改善することができる建設現場の環境改善システムを提供することを目的とする。
【０００６】
【課題を解決するための手段】
上記課題を解決するために、請求項１記載の発明は、例えば図１〜５に示すように、建設現場の環境改善システム１であって、
建設現場を上方から覆う仮設屋根１０と、
この仮設屋根１０によって覆われた前記建設現場に水を噴霧する噴霧装置２０とを備えることを特徴とする。
【０００７】
請求項１記載の発明によれば、仮設屋根によって覆われた建設現場に水を噴霧する噴霧装置を備えているので、仮設屋根によってその上側と下側との空気の流れを遮断した状態で、噴霧装置によって建設現場に水を噴霧することができる。従って、仮設屋根から焼け込む熱量が大きい酷暑時などには、噴霧装置によって噴霧された水の気化熱を利用して建設現場の気温を確実に低下させ、建設現場の作業環境を快適にすることができるため、気象条件の変化に関わらず建設現場の作業環境を安定化し、その結果、安定した作業効率で建築物を構築することができる。また、建設現場に浮遊する塵埃を、噴霧された水に吸着させて確実に取り除くことができるため、建設現場の作業環境を更に快適にすることができる。
また、建設現場の湿度を高めることによって、建築物を構成すべく打設されるコンクリートを気象条件の変化に関わらずに湿潤な環境下で養生することができる。従って、コンクリートの表面にひび割れが生じるのを防ぐことができるとともに、確実にセメントの水和反応を生じさせてコンクリートを硬化させ、このコンクリートの強度を高めることができるため、高品質の建築物を構築することができる。
【０００８】
請求項２記載の発明は、例えば図１〜５に示すように、請求項１記載の建設現場の環境改善システム１において、
前記噴霧装置２０によって噴霧された水を前記建設現場に拡散させる送風機３０を備えることを特徴とする。
【０００９】
請求項２記載の発明によれば、噴霧装置によって噴霧された水を送風機によって建設現場に拡散させることができるので、建設現場全体の作業環境を快適にすることができるとともに、噴霧装置からの距離に関わらずに建築物の部位ごとの仕上がり品質を一定に維持することによって、仕上がり品質にばらつきがない、全体として高品質の建築物を確実に構築することができる。
【００１０】
請求項３記載の発明は、例えば図１〜５に示すように、請求項１又は２記載の建設現場の環境改善システム１において、
前記建設現場の周縁部の地盤Ｇには、水平方向に連続した土留壁５が設けられており、
前記仮設屋根１０は、前記土留壁５の上部に、この土留壁５に沿って移動自在に設けられた複数の移動屋根部１１，…からなることを特徴とする。
【００１１】
請求項３記載の発明によれば、仮設屋根は土留壁の上部に移動自在に設けられた複数の移動屋根部からなるので、これら移動屋根部を移動させ仮設屋根に開口部を形成し、この開口部を介して建設現場の一部を上方に露出させることができる。従って、必要に応じて仮設屋根の所望の位置に開口部を形成し、この開口部を介して門型クレーン等のクレーンによって資材の搬入や不要となったものの搬出を行うことができる。
【００１２】
【発明の実施の形態】
以下、図面を参照しながら、本発明に係る建設現場の環境改善システム１の実施の形態を具体的に説明する。
なお、本実施の形態においては、建設現場を、地盤中に多階層の建築物Ｋを構築する作業を行う場所として説明する。建築物Ｋは、図３〜５に示すように、平面視略矩形状でその一隅部に略Ｌ字状の切欠部１００を備えたものであり、その内部に未だ床部材が設けられていないものである。この建築物Ｋの外壁部の外側の地盤Ｇ、つまり建設現場の周縁部の地盤Ｇには、図３〜５に示すように、水平方向に連続した土留壁５が設けられており、建築物Ｋの上部には図１に示すように門型クレーンＭが設けられている。
【００１３】
土留壁５は、図３〜５に示すように、ＳＭＷ（ｓｏｉｌ　ｍｉｘｉｎｇ　ｗａｌｌ）工法によって構築された複数の壁体５１，…からなる平面視略ロ字状のものである。ＳＭＷ工法とは、多軸オーガ掘削機（図示せず）で地盤Ｇを掘削し、その先端よりセメントスラリ、ベントナイト溶液等、目的に応じた硬化液を吐出して掘削土と混練を行い、ソイルセメントの壁体を構築するものである。このように形成された各壁体５１は、内部に複数のＨ形鋼が埋設されることによって補強されている。また、各壁体５１の上面は略水平となっている。この各壁体５１の上面における外側の部分には、雨水が建築物Ｋの内部へ流入しないように、外側から内側に向かって高くなる勾配を有する捨てコンクリート（図示せず）が打設されている。なお、以下の説明においては、これら壁体５１，…のうち建築物Ｋの長尺方向に延在する壁体５１，…を便宜的に区別し、切欠部１００が設けられていない側の壁体５１（図３〜５における左側の壁体５１）を壁体５１Ａ、切欠部１００が設けられた側で、かつ切欠部１００を除く建築物Ｋの外壁部に沿った壁体５１（図３〜５における右下側の壁体５１）を壁体５１Ｂとする。建築物Ｋの切欠部１００には、この壁体５１Ｂと連続して同一直線をなすようにＳＭＷ工法による補助壁体（図示せず）が設けられており、補助壁体の上面は壁体５１Ｂの上面と同一平面をなしている。
門型クレーンＭは、資材の搬入及び不要となったものの搬出を行うものである。この門型クレーンＭは、図１に示すように、土留壁５の壁体５１Ａ，５１Ｂに隣接して建設現場の周縁部の地盤上に立設された２本の柱部材Ｍ１，Ｍ１と、これら柱部材Ｍ１，Ｍ１に架設された梁部材Ｍ２と、この梁部材Ｍ２に設けられたクレーン本体Ｍ３とからなる。クレーン本体Ｍ３は、梁部材Ｍ２に沿って移動自在に設けられている。このクレーン本体Ｍ３は、上下移動自在なフック部Ｍ４を有している。
【００１４】
本実施の形態における建設現場の環境改善システム１は、図１〜５に示すように、門型クレーンＭより下方において建設現場を上方から覆う仮設屋根１０と、仮設屋根１０によって覆われた建設現場に水を噴霧する噴霧装置２０と、噴霧装置２０によって噴霧された水を建設現場に拡散させる複数の送風機３０，…とを備えている。
【００１５】
仮設屋根１０は、図３に示すように、土留壁５の壁体５１Ａ，５１Ｂに架設されている。この仮設屋根１０は、壁体５１Ａ，５１Ｂの上部に、これら壁体５１Ａ，５１Ｂに沿って移動自在に設けられた複数の移動屋根部１１，…からなる。各移動屋根部１１は、図１に示すように、壁体５１Ａ，５１Ｂの上面に配置された複数の車輪１４，…と、これら車輪１４，…を介して壁体５１Ａ，５１Ｂによってそれぞれ支持された縦部材１３，１３と、これら縦部材１３，１３に架設された縦断面視山型の屋根部材１２とからなる。
複数の車輪１４，…は、前記捨てコンクリートと隣接して壁体５１Ａ，５１Ｂの上面における内側の部分に設けられ、これら壁体５１Ａ，５１Ｂに沿って転動可能となっている。なお、壁体５１Ｂの上面に設けられた車輪１４は、壁体５１Ｂとともに、この壁体５１Ｂと連続して設けられた前記補助壁体の上面も転動可能となっている。
縦部材１３，１３は、土留壁５の壁体５１Ａ，５１Ｂの上面に、車輪１４，…を介して支持されている。
屋根部材１２は、図３に示すように平面視矩形状のものである。この屋根部材１２の長尺方向の長さは土留壁５の壁体５１Ａ，５１Ｂの間の長さとほぼ等しくなっており、屋根部材１２の短尺方向の長さは壁体５１Ｂの長さより短くなっている。そして、この屋根部材１２は、その長尺方向が壁体５１Ａ，５１Ｂの形成方向と直交するように配置され、縦部材１３，１３によって支持されている。
【００１６】
噴霧装置２０は、図１，２及び５に示すように、水を噴霧する複数の噴射ノズル２１，…と、水を霧状にして各噴射ノズル２１，…に送る装置本体２２などとからなる。これら各噴射ノズル２１と装置本体２２とは、装置本体２２から噴射ノズル２１に霧を送るためのパイプ２３によって互いに連結されている。なお、本実施の形態においては、装置本体２２は建築物Ｋの最上階、つまり地上１階となるべき部分に設けられている。またなお、パイプ２３は、建築物Ｋの地下１階となるべき部分に、土留壁５の壁体５１Ａ，５１Ｂのほぼ中間で、これら壁体５１Ａ，５１Ｂと平行に延在して設けられている。またなお、噴射ノズル２１，…は、壁体５１Ａ又は壁体５１Ｂに向かって水を噴霧するよう、パイプ２３の両側部に所定間隔ごとに設けられている。
送風機３０は、本実施の形態においては、図１，２及び４に示すように建築物Ｋの地下２階部分に複数設けられ、噴霧装置２０から噴霧された水を建設現場に拡散させることができるようになっている。
【００１７】
以上のような建設現場の環境改善システム１によれば、建設現場を上方から覆う仮設屋根１０を備えているので、例えば直射日光の照射量が大きい酷暑時や、天候の変化が激しい梅雨時などに、建設現場に照射する直射日光や建設現場に吹き込む風雨などを建築物Ｋの周囲の地盤Ｇと仮設屋根１０とによって遮断することにより、建設現場の作業環境を安定化することができる。従って、気象条件の変化に関わらずに安定した作業効率で建築物を構築することができるため、安定した作業効率で建築物Ｋを構築することができる。更に、このように作業効率を安定化できるため、作業の進行を容易に管理することができる。また、コンクリートの打設や鉄筋の圧接など、気象条件に影響を受けやすい作業を、安定した品質を維持して行うことができるため、建築物Ｋの部位ごとに仕上がり品質にばらつきがない、全体として高品質の建築物Ｋを構築することができる。
【００１８】
また、この仮設屋根１０によって覆われた建設現場に水を噴霧する噴霧装置２０を備えているので、建築物Ｋの周囲の地盤Ｇと仮設屋根１０とによって建設現場の内外の空気の流れを遮断した状態で、噴霧装置２０によって建設現場に水を噴霧することができる。従って、仮設屋根１０から焼け込む熱量が大きい酷暑時などには、噴霧装置２０によって噴霧された水によって体感温度を低減するとともにこの水の気化熱を利用して建設現場の気温を確実に低下させ、熱中症の防止を図ることができる、つまり建設現場の作業環境を快適にすることができる。よって、気象条件の変化に関わらず建設現場の作業環境を安定化し、その結果、安定した作業効率で建築物Ｋを構築することができる。また、建設現場に浮遊する塵埃を、噴霧された水に吸着させて確実に取り除くことができるため、建設現場の作業環境を更に快適にすることができる。
【００１９】
また、建設現場の湿度を高めることによって、建築物Ｋを構成すべく打設されたコンクリートを湿潤な環境下で養生することができる。従って、コンクリートの表面にひび割れが生じるのを防ぐことができるとともに、確実にセメントの水和反応を生じさせてコンクリートを硬化させ、このコンクリートの強度を高めることができるため、より高品質の建築物Ｋを構築することができる。
【００２０】
また、噴霧装置２０によって噴霧された水を送風機３０によって建設現場に拡散させることができるので、建設現場全体の作業環境を快適にすることができるとともに、噴霧装置２０からの距離に関わらずに建築物Ｋの部位ごとの仕上がり品質を一定に維持することによって、仕上がり品質にばらつきがない、全体として高品質の建築物Ｋを確実に構築することができる。
【００２１】
更に、仮設屋根１０は土留壁５の上部に移動自在に設けられた複数の移動屋根部１１からなるので、これら移動屋根部１１を移動させ仮設屋根１０に開口部を形成し、この開口部を介して建設現場の一部を上方に露出させることができる。従って、必要に応じて仮設屋根１０の所望の位置に開口部を形成し、この開口部を介して門型クレーンＭによる資材の搬入や不要となったものの搬出を行うことができる。
【００２２】
なお、上記実施の形態においては、噴霧装置２０の装置本体２２が建築物Ｋの最上階に、パイプ２３及び噴射ノズル２１，…が建築物Ｋの地下１階となるべき部分にそれぞれ設けられていることとして説明したが、建設現場に水を噴霧する限りにおいて、他の位置に設けられることとしても良い。
また、送風機３０は建築物Ｋの地下２階となるべき部分に設けられていることとして説明したが、噴霧装置２０から噴霧された水を建設現場に拡散させることができる限りにおいて他の位置に設けられることとしても良いし、作業個所及び作業員の位置に応じて適宜移動して設けられることとしても良い。
【００２３】
【発明の効果】
請求項１記載の発明によれば、仮設屋根によってその上側と下側との空気の流れを遮断した状態で、噴霧装置によって建設現場に水を噴霧することができる。従って、仮設屋根から焼け込む熱量が大きい酷暑時などには、噴霧装置によって噴霧された水の気化熱を利用して建設現場の気温を確実に低下させ、建設現場の作業環境を快適にすることができるため、気象条件の変化に関わらず建設現場の作業環境を安定化し、その結果、安定した作業効率で建築物を構築することができる。また、建設現場に浮遊する塵埃を、噴霧された水に吸着させて確実に取り除くことができるため、建設現場の作業環境を更に快適にすることができる。
更に、建設現場の湿度を高めることによって、建築物を構成すべく打設されるコンクリートを気象条件の変化に関わらずに湿潤な環境下で養生することができる。従って、コンクリートの表面にひび割れが生じるのを防ぐことができるとともに、確実にセメントの水和反応を生じさせてコンクリートを硬化させ、このコンクリートの強度を高めることができるため、高品質の建築物を構築することができる。
【００２４】
請求項２記載の発明によれば、請求項１記載の発明と同様の効果が得られるのは勿論のこと、建設現場全体の作業環境を快適にすることができるとともに、噴霧装置からの距離に関わらずに建築物の部位ごとの仕上がり品質を一定に維持することによって、仕上がり品質にばらつきがない、全体として高品質の建築物を確実に構築することができる。
【００２５】
請求項３記載の発明によれば、請求項１又は２記載の発明と同様の効果が得られるのは勿論のこと、これら移動屋根部を移動させ仮設屋根に開口部を形成し、この開口部を介して建設現場の一部を上方に露出させることができる。従って、必要に応じて仮設屋根の所望の位置に開口部を形成し、この開口部を介して門型クレーン等のクレーンによって資材の搬入や不要となったものの搬出を行うことができる。
【図面の簡単な説明】
【図１】本発明に係る建設現場の環境改善システムの概要を示す縦断面図である。
【図２】噴霧装置及び送風機の設置位置を示す縦断面図である。
【図３】仮設屋根を示す平面図である。
【図４】送風機の設置位置を示す平面図である。
【図５】噴霧装置の設置位置を示す平面図である。
【符号の説明】
１　建設現場の環境改善システム
５　土留壁
１０　仮設屋根
１１　移動屋根部
２０　噴霧装置
３０　送風機
Ｇ　地盤
【図１】
2004124419.tif 000003
【図２】
2004124419.tif 000004
【図３】
2004124419.tif 000005
【図４】
2004124419.tif 000006
【図５】
2004124419.tif 000007